(57)【要約】【課題】光変調器の動作点を安定化させて光波形の揺らぎが少なく消光比の劣化が少ない安定した出力光信号を光変調器から出力させるよう制御する駆動装置を提供する。【解決手段】本発明の駆動装置は、入力駆動信号に応じた駆動電圧に基づいて光変調器に対し調整駆動信号を与える装置であり、低周波発振手段と、電気入力信号に低周波信号を重畳する重畳手段と、光変調器の出力光信号の低周波成分と、低周波発振手段の元の低周波信号との位相差に応じたバイアス信号に低周波信号を合成する合成手段と、重畳手段の重畳信号と加算手段の合成信号とに基づいて、上限波形と下限波形とが非対称となる駆動電圧を光変調器に与える駆動手段とを備える。【選択図】　　　図１
2004118060.tif 000002
【特許請求の範囲】
【請求項１】
入力した駆動信号に応じた駆動電圧に基づいて光源光を光変調する光変調器に対し、調整した上記駆動信号を与える駆動装置において、
低周波信号を発振する低周波発振手段と、
電気入力信号に上記低周波信号を重畳する重畳手段と、
上記光変調器からの出力光信号に含まれる低周波成分と、上記低周波発振手段により発振された元の低周波信号との位相差に応じたバイアス信号に、上記低周波信号を合成する合成手段と、
上記重畳手段により重畳された重畳信号と、上記加算手段により合成された合成信号とに基づいて、上限の波形と下限の波形とが非対称となる駆動電圧を上記光変調器に与える駆動手段と
を備えることを特徴とする駆動装置。
【請求項２】
上記光変調器からの出力光信号の光強度幅を圧縮する光増幅手段を有することを特徴とする請求項１に記載の駆動装置。
【発明の詳細な説明】
【０００１】
【発明の属する技術分野】
本発明は、駆動装置に関し、例えば、マッハツェンダー型光変調器等の外部光変調器の印加電圧を調整して、外部光変調器の動作点を安定化させる装置に適用し得る。
【０００２】
【従来の技術】
【０００３】
【特許文献１】特開平３−２５１８１５号公報
例えば、ニオブ酸リチウム（ＬｉＮｂＯ３）を使用したＬＮ光変調器（リチウムナイオベート変調器）に代表されるマッハツェンダー（ＭＺ）型光変調器は、印加電圧に対し光の透過特性が正弦波状に変化する事が知られているが、この透過特性は、温度などの外乱に敏感で経時変化（バイアス点ドリフト）が起こってしまう。
【０００４】
ここで「バイアス点ドリフト（動作点ドリフト）」とは、印加電圧と光強度との関係を表す特性曲線（外部変調器が有する光透過特性を示す曲線）が、印加電圧方向に増減するドリフトのことである。
【０００５】
これを補償するには様々な方法があるが、中でも上記特許文献１に示される方式（低周波重畳方式）は簡便である事から広く用いられている。
【０００６】
図２は、上記特許文献１に係る低周波重畳方式を示す回路図である。上記特許文献１の低周波重畳方式は、電気信号３に低周波信号４を重畳した重畳信号で外部光変調器２（例えばマッハツェンダー（ＭＺ）型光変調器）を駆動することで、外部光変調器２から出力された出力光信号にも低周波信号が重畳される。その出力光信号を光分岐して、その出力光信号から低周波信号を検出し、その検出された低周波信号と、元の低周波信号との位相差を検出し、バイアス点をフィードバック制御するというものである。
【０００７】
【発明が解決しようとする課題】
しかしながら、上述した特許文献１の低周波重畳方式は、伝送に用いる光信号に直接低周波信号を重畳するため、伝送光波形の劣化、特に消光比の劣化が起こるという問題がある。
【０００８】
図３は、上述した従来の低周波重畳方式による出力光信号の波形を示した図である。図３に示すように、低周波信号の重畳により、出力光信号の波形（図中は「光波形」）の光パワー（光強度）が上下対称に揺らいでいることがわかる。この波形は１レベルも０レベルも同様に変調されているので、光波形の対称性は良いが、消光比の観点での劣化は避けられない。
【０００９】
そのため、光変調器の動作点を安定化させて、光波形の揺らぎが少なく、消光比の劣化が少ない安定した出力光信号を光変調器から出力させるよう制御する駆動装置が求められている。
【００１０】
【課題を解決するための手段】
かかる課題を解決するために、本発明の駆動装置は、入力した駆動信号に応じた駆動電圧に基づいて光源光を光変調する光変調器に対し、調整した駆動信号を与える駆動装置において、低周波信号を発振する低周波発振手段と、電気入力信号に低周波信号を重畳する重畳手段と、光変調器からの出力光信号に含まれる低周波成分と、低周波発振手段により発振された元の低周波信号との位相差に応じたバイアス信号に、上記低周波信号を合成する合成手段と、重畳手段により重畳された重畳信号と、加算手段により合成された合成信号とに基づいて、上限の波形と下限の波形とが非対称となる駆動電圧を光変調器に与える駆動手段とを備えることを特徴とする。
【００１１】
【発明の実施の形態】
（Ａ）第１の実施形態
以下、本発明に係る駆動装置の第１の実施形態について、図面を参照して詳説する。
【００１２】
第１の実施形態は、マッハツェンダー型光変調器（ＭＺ型光変調器）に入力する駆動電圧を調整し、ＭＺ型光変調器の動作点のずれを補償して、動作点を安定化させる駆動装置に適用する場合を説明する。
【００１３】
（Ａ−１）第１の実施形態の構成
図１は、本実施形態の駆動装置を備える光変調装置の構成例を示す回路図である。なお、図１において、太線は光信号の経路であり、細線は電気信号の経路である。また、図１に示す光変調装置は、低周波信号に係るフィードバック制御をするものであり、フィードバック情報に基づいて駆動電圧を調整するものである。
【００１４】
図１に示すように、光変調装置は、光源１と、マッハツェンダー（ＭＺ）型光変調器２と、光分岐９と、本実施形態の駆動装置１００とを有しており、この駆動装置１００は、電気信号（変調電気信号）３と、低周波発振器４と、アンプ５と、コンデンサ６と、バイアスティ７と、終端抵抗８と、フォトダイオード（ＰＤ）１０と、バンドパスフィルタ（ＢＰＦ）１１と、アンプ１２と、乗算器１３と、ローパスフィルタ（ＬＰＦ）１４と、差動増幅器１５と、比較電圧１６と、加算器１７と、アンプ１８と、分圧抵抗１９と、反転スイッチ２０とを備えるものである。
【００１５】
低周波発振器４は、所定の周波数（ｆ０）の低周波信号を発振するものであって、発振した低周波信号をアンプ５に与えると共に、反転スイッチ２０及び乗算器１３にも与えるものである。
【００１６】
アンプ５は、電気信号（変調電気入力信号）３を変調に適した振幅まで増幅するものである。また、アンプ５は、低周波発振器４から低周波信号を受け取り、その低周波信号と電気信号３とを重畳して、その重畳信号をコンデンサ６を介してＭＺ型光変調器２に与えるものである。このアンプ５は、電気信号３について、変調に適した振幅まで増幅する際に、低周波信号で振幅変調をして重畳信号を生成する。
【００１７】
なお、本実施形態では、アンプ５が、振幅増幅機能と重畳機能とを有することとして説明するが、これらの機能をそれぞれ異なるモジュールをもって実現してもよい。
【００１８】
図４は、第１の実施形態のマッハツェンダー型光変調器２に入力する電気信号の波形を示した図である。図４（Ａ）は、コンデンサ６からＭＺ型光変調器２に印加する電気信号の波形である。
【００１９】
図４（Ａ）が示すように、アンプ５から出力される電気信号は、低周波信号と重畳されたものなので、その包絡線の周期が１／ｆ０の交流信号（ＡＣ信号）である。また、電気信号は、低周波信号が重畳された後に、コンデンサ６を通過しているので、ゼロを狭んで上下対称に揺らいだ波形になっている。
【００２０】
マッハツェンダー（ＭＺ）型光変調器２は、一方の変調入力端子が、コンデンサ６を介してアンプ５から電気信号３と低周波信号とが重畳された重畳信号を受け取り、また、他方の変調入力端子が、直接接続されたバイアスティ７から出力信号（バイアス信号と低周波信号とが重畳された重畳信号）を受け取り、これら駆動信号（重畳信号及びバイアスティ７の出力信号）に応じた駆動電圧に基づいて、光源１からの連続光（例えばレーザ光等のようなコヒーレンスな光など）を変調し入力信号を光信号に変換して、出力光信号を光分岐９に与えるものである。
【００２１】
このＭＺ型光変調器２は、光変調器の一例を示したものであり、他に、電気入力信号端子と、バイアス信号入力端子とを有する光変調器であれば適用することができる。
【００２２】
ＭＺ型光変調器２に入力するバイアスティ７からの出力信号についての説明は後述する。
【００２３】
光分岐９は、ＭＺ型光変調器２からの出力光信号を２分岐するものであり、そのうちの一方をフォトダイオード（ＰＤ）１０に与えるものである。また、２分岐した他方は、出力光信号として外部装置（図示しない）に与える。
【００２４】
フォトダイオード（ＰＤ）１０は、受け取った出力光信号を電気信号に変換する光−電気変換機能を備える手段である。ＰＤ１０は、変換した電気信号をバンドパスフィルタ（ＢＰＦ）１１に与える。
【００２５】
バンドパスフィルタ（ＢＰＦ）１１は、所定の周波数成分（ｆ０）を抽出する手段であって、ＰＤ１０によって出力光信号が電気的に変換された電気信号のうち低周波成分を抽出して、その低周波成分をアンプ１２を介して乗算器１３に与えるものである。従って、ＢＰＦ１１は、所定周波数以外の周波数成分を抽出することはない。
【００２６】
ＢＰＦ１１が抽出する低周波成分は、低周波発振器４が発振する低周波信号の周波数成分に相当する。つまり、ＢＰＦ１１は、出力光信号に含まれる低周波信号の周波数成分を抽出するものである。
【００２７】
乗算器１３は、ＢＰＦ１１によって抽出された電気信号に含まれる低周波成分をアンプ１２を介して受け取り、また、低周波発振器４から低周波信号（元の低周波信号）を受け取り、これら２個の低周波信号を乗算するものである。
【００２８】
また、ＬＰＦ１４は、所定周波数以下の信号を通過させる手段である。
【００２９】
乗算器１３が乗算して得た出力信号をＬＰＦ１４に与えると、ＬＰＦ１４は所定の周波数以下の信号を通過させ、ＬＰＦ１４は、これら２個の信号の位相を比較して、その位相差に応じた直流電圧（ＤＣ電圧）が出力する。
【００３０】
従って、このＬＰＦ１４から出力される直流電圧（ＤＣ電圧）に基づいて、ＭＺ型光変調器２の動作点ドリフトの方向を検出することができる。
【００３１】
差動増幅器１５は、ＬＰＦ１４からの直流電圧を受け取り、その直流電圧に基づいて比較電圧１６との差に応じた出力を算出するものである。なお、この比較電圧１６を可変にすることで、バイアス制御点の調節に用いることができる。もちろん、比較抵抗１６を一定の電圧としてもよい。
【００３２】
加算器１７は、差動増幅器１５から出力信号を受け取り、また、アンプ１８及び分圧抵抗１９によって利得調整された低周波信号を受け取り、この出力信号に低周波信号を加算した加算信号をバイアスティ７に与えるものである。
【００３３】
図４（Ｂ）は、加算器１７の加算信号の波形を示した図である。
【００３４】
加算器１７は、差動増幅器１５から比較電圧１６との差に応じた直流信号（ＤＣ信号）を受け取り、その直流信号に低周波信号を加算するので、図４（Ｂ）に示す加算信号は、一方の極性について所定周期（１／ｆ０）の揺らぎを有する波形を示す。
【００３５】
反転スイッチ２０は、低周波発振器４から低周波信号を受け取り、その低周波信号を反転させて、分圧抵抗１９に与えるものである。
【００３６】
なお、この反転スイッチ２０は、低周波信号の極性を切り替える機能を有し、ＭＺ型光変調器２の論理が正論理の場合と負論理の場合とに対応することができる。
【００３７】
また、本実施形態では、低周波発振器４と分圧抵抗１９との間に反転スイッチ２０を備えたが、反転スイッチ２０は、ＭＺ型光変調器２に入力する電気信号３に重畳されている低周波信号と、バイアス信号に重畳されている低周波信号とのいずれかの極性を最終的に切り替えるための手段であるので、例えば、低周波発振器４とアンプ５との間に反転スイッチ２０を備えてもよい。
【００３８】
分圧抵抗１９は、反転スイッチ２０から低周波信号を受け取り、その低周波信号の電界（電圧）を分圧するものである。分圧抵抗１９は、その分圧した低周波信号をアンプ１８に与える。この分圧抵抗１９は可変するようにしてもよい。
【００３９】
アンプ１８は、分圧抵抗１９から分圧された低周波信号を受け取り、利得調整するものである。アンプ１８は、利得調整した低周波信号を加算器１７に与える。
【００４０】
バイアスティ７は、低周波ポートと高周波ポートを有しており、低周波ポートは加算器１７に接続しており、高周波ポートは終端抵抗８に接続している。また、バイアスティ７は、ＭＺ型光変調器２に接続しており、加算器１７からの加算信号を受け取り、この加算信号をＭＺ型光変調器２に与えるものである。この加算信号は、ＭＺ型光変調器２へのバイアス点電圧として機能するものであり、バイアスティ７は、この加算器１７からの加算信号に応じたバイアス信号をＭＺ型光変調器２に与える。
【００４１】
図４（Ｃ）は、ＭＺ型光変調器２が駆動電圧として取り込む駆動信号の波形を示した図である。なお、図１において、ＭＺ型光変調器２は、コンデンサ６からの重畳信号と、バイアスティ７からの加算信号とをそれぞれ別個に取り込む構成であるが、最終的にＭＺ型光変調器２が取り込む駆動信号は、図４（Ｃ）に示す波形の信号である。
【００４２】
図４（Ｃ）に示す駆動信号の波形は、図４（Ａ）のコンデンサ６からの重畳信号と、図４（Ｂ）の加算器１７の加算信号とを加算して得られたものである。この駆動信号は、一方の極性の揺らぎが打ち消されて、他方の極性の論理の揺らぎは振幅が２倍になっている。なお、アンプ５で低周波信号を重畳する特性が線形である場合以外は、完全に打ち消せないが、たいていの場合はほとんど問題にならないレベルまで打ち消せる。
【００４３】
また、図４（Ｃ）は、駆動信号の０レベル側の揺らぎを打ち消したが、勿論１レベル側の揺らぎを打ち消しても良い。この場合、図４（Ｂ）に示す加算器１７の出力信号の極性を逆にする必要がある。ここで、図４（Ｂ）に示す出力信号の振幅と極性とは、アンプ１８、分圧抵抗１９及び反転スイッチ２０により自由に調整することができる。
【００４４】
（Ａ−２）第１の実施形態の動作
次に、第１の実施形態の動作について説明する。
【００４５】
光源１が発光した連続光は、ＭＺ型光変調器２に入射する。
【００４６】
また、電気信号３は、アンプ５によって振幅増幅されると共に、低周波発振器４から発振された低周波信号と重畳されて、その重畳信号がコンデンサ６を介してＭＺ型光変調器２に与えられる。
【００４７】
ＭＺ型光変調器２が出力した出力光信号は、光分岐９により分岐されてフォトダイオード１０に与えられ、フォトダイオード１０によって光−電気変換される。変換された電気信号はＢＰＦ１１に与えられる。
【００４８】
ＢＰＦ１１において、フォトダイオード１０からの電気信号が、所定の周波数成分（ｆ０）を含んでいる場合、その周波数成分が抽出され、乗算器１３に与えられる。乗算器１３は、低周波発振器４から低周波信号（元の低周波信号）も受け取り、乗算器１３及びＬＰＦ１４によって、その抽出された周波数成分の位相と、元の低周波信号の位相とが比較されて、その位相差に応じた直流電圧が差動増幅器１５に与えられる。
【００４９】
つまり、ＢＰＦ１１により所定の周波数成分が抽出された場合に、その周波数成分と元の低周波信号との位相差に応じたＬＰＦ１４からの直流電圧に基づいて、ＭＺ型光変調器２の動作点ドリフトの方向を検出することができる。
【００５０】
ＬＰＦ１４から出力された直流電圧は、差動増幅器１５において、比較電圧１６との差が増幅されて、差動増幅器１５の出力信号が加算器１７に与えられる。
【００５１】
従って、差動増幅器１５が、動作点ドリフトの方向を検出し、その動作点ドリフト方向を考慮して、出力光信号に低周波信号が含まれないように位相調整をする。
【００５２】
差動増幅器１５からの出力信号は、加算器１７において、振幅調整された低周波信号を加算されて、その加算信号がバイアスティ７を介してＭＺ型光変調器２に与えられる。
【００５３】
このとき、ＭＺ型光変調器２を駆動させる駆動電圧は、入力するコンデンサ６からの重畳信号と、バイアスティ７からの加算信号とを加算した駆動信号に応じた電圧であり、その駆動信号の一方の揺らぎが打ち消されているものである。図４（Ｃ）に示す駆動信号は、加算された結果、駆動信号の下限側（０レベル側）の揺らぎが打ち消されている。
【００５４】
図５は、ＭＺ型光変調器２における、駆動信号に基づく駆動電圧（図５では印加電圧）と、出力光信号（図５では光波形）の光強度（光パワー）との関係を示した図である。
【００５５】
図５に示す印加電圧は、図４（Ｃ）に示す駆動信号に応じた電圧であり、その駆動電圧の揺らぎが打ち消された方を、ＭＺ型光変調器２の透過特性の波形の最小透過点に合わせて、その印加電圧をＭＺ型光変調器２に印加する。なお、このとき、駆動電圧の他方の揺らぎは所定周期１／ｆ０の周期性を有する。
【００５６】
ＭＺ型光変調器２に印加電圧が印加されると、その印加電圧に基づいて出力光信号が出力する。印加電圧の一方の揺らぎが打ち消され、かつ、その打ち消された方がＭＺ型光変調器２の透過特性に合わせているので、出力光信号の下限側波形（０レベル）は揺らぎを生じない。また、印加電圧の他方の揺らぎの上下限の中間点の位置がＭＺ型光変調器２の透過特性の最大透過点と合致しているので、出力光信号の上限側波形（１レベル）は所定周期１／２ｆ０の周期性を有することとなる。つまり、出力光信号の下限側波形（０レベル）が安定しているので、図３の従来の場合と比べて消光比が向上している。
【００５７】
また、この出力光信号の上限側波形の揺らぎが１／２ｆ０の周期を有することから、出力光信号が光−電気変換された後に、ＢＰＦ１１に与えられても周波数ｆ０成分は抽出されないので、乗算器１３とＬＰＦ１４とによって低周波信号成分は検出されない。
【００５８】
図６は、動作点ドリフトが正方向に生じた場合の駆動信号に基づく駆動電圧（図６では印加電圧）と、出力光信号（図６では光波形）の光強度（光パワー）との関係を示した図である。
【００５９】
図６に示すように、動作点ドリフトが正方向に生じている場合、出力光信号強度は１／ｆ０の周期性があり、その位相は元の低周波信号と同位相である。
【００６０】
つまり、乗算器１３とＬＰＦ１４により低周波信号同士の位相差に応じた直流電圧が正である場合、動作点が正方向にドリフトしていることを検出することができる。
【００６１】
図７は、動作点ドリフトが負方向に生じた場合の駆動信号に基づく駆動電圧（図７では印加電圧）と、出力光信号（図７では光波形）の光強度（光パワー）との関係を示した図である。
【００６２】
図７に示すように、動作点ドリフトが負方向に生じている場合、出力光信号強度は１／ｆ０の周期性があり、その位相は元の低周波信号と逆位相である。
【００６３】
つまり、乗算器１３とＬＰＦ１４により低周波信号同士の位相差に応じた直流電圧が負である場合、動作点が負方向にドリフトしていることを検出することができる。
【００６４】
（Ａ−３）第１の実施形態の効果
以上、本実施形態によれば、加算器１７が、差動増幅器１５からのバイアス点を補償する出力信号に対して低周波信号を加算した加算信号を生成し、その加算信号と、変調電気信号に低周波信号を重畳させた重畳信号とを加算することにより、その駆動信号の一方の波形の揺らぎを打ち消すことができ、この駆動信号を用いた出力光信号の光波形についても、一方のレベルを安定化させることができるので、消光比を向上させることができる。
【００６５】
（Ｂ）第２の実施形態
次に、本発明に係る駆動装置の第２の実施形態について図面を参照して説明する。
【００６６】
第２の実施形態は、第１の実施形態、すなわちＭＺ型光変調器に入力する駆動信号の片側レベルの揺らぎを打ち消し、出力光信号の一方のレベルを安定化させる駆動装置に適用する場合である。
【００６７】
（Ｂ−１）第２の実施形態の構成及び動作
図８は、第２の実施形態に係る駆動装置を備える光変調装置の構成を示す回路図である。
【００６８】
図８に示すように、光変調装置は、光源１と、ＭＺ型光変調器２と、光分岐９と、光アンプ２１と、第２の実施形態の駆動装置２００とを有し、この駆動装置２００は、電気信号（変調電気信号）３と、低周波発振器４と、アンプ５と、コンデンサ６と、バイアスティ７と、終端抵抗８と、フォトダイオード（ＰＤ）１０と、バンドパスフィルタ（ＢＰＦ）１１と、アンプ１２と、乗算器１３と、ローパスフィルタ（ＬＰＦ）１４と、差動増幅器１５と、比較電圧１６と、加算器１７と、アンプ１８と、分圧抵抗１９とを備えるものである。
【００６９】
第２の実施形態の構成について、第１の実施形態と対応する構成要件を備える場合には、その対応する符号を付しており、これについての機能説明を省略する。
【００７０】
第２の実施形態は、光分岐９の後段に光アンプ２１を備える点に特徴がある。
【００７１】
光アンプ２１は、光分岐９によって分岐された出力光信号を受け取り、その出力光信号に対して所定の利得を対応させて、出力光信号の片側レベルの揺らぎを圧縮させる手段である。
【００７２】
この所定の利得について、図９に示す低周波信号に関する光アンプ２１の入出力特性の関係図を用いて説明する。
【００７３】
図９に示すように、低周波信号に関する光アンプ２１の利得は、入力光の値が所定以上になると、それに対する出力光の値がほぼ一定の状態になる、いわゆる飽和状態の関係を有している。
【００７４】
従って、光アンプ２１は、光分岐９からの出力光信号を入力すると、その飽和状態の関係に従って、出力光信号の揺らぎを一定に圧縮することができる。
【００７５】
例えば、図５に示すように、第１の実施形態では、ＭＺ型光変調器２が出力する出力光信号は、０レベルについては揺らぎを打ち消し安定化させることができたが、１レベルについては揺らぎを打ち消すことをせず、振幅を従来方式の２倍にさせている。光アンプ２１は、この１レベルの揺らぎを一定に圧縮して出力することができる。
【００７６】
（Ｂ−３）第２の実施形態の効果
以上、本実施形態によれば、所定の入出力特性を有する光アンプ２１を備えることにより、その入出力特性に応じて、出力光信号波形の揺らぎを圧縮することができる。
【００７７】
また、本実施形態によれば、第１の実施形態のように、片側レベルのみの光強度を安定化させた場合には、逆側レベルの揺らぎをも一定に圧縮させることができるので、結果として、両側レベルとも揺らぎの小さい出力光信号の光変調波形を得ることができる。
【００７８】
（Ｃ）他の実施形態
上述した第１及び第２の実施形態では、図５（Ｃ）に示すように駆動信号の波形の０レベル側の揺らぎを打ち消して安定化させるようにしたが、勿論１レベル側の揺らぎを打ち消すようにしてもよい。また、消光比の劣化を防止できるようにすれば良いので、駆動信号の片側波形を打ち消すことに限らず、消光比を向上させるように、駆動信号の両側の波形を調整するようにすればよい。従って、広い意味で駆動信号の上限波形と下限波形とが非対称となるように調整してもよい。
【００７９】
第１及び第２の実施形態では、バイアスティ７を介して駆動電圧を供給しているが、低周波で変調された駆動信号の波形を調整することができれば、コンデンサ６及びバイアスティ７を備えないようにしてもよい。
【００８０】
第２の実施形態では、光アンプ２１の飽和特性を利用して出力光の揺らぎを圧縮したが、光アンプ２１に関し、低周波信号の周期（１／ｆ０）よりも十分速い時定数で、光出力一定制御を行なうことによっても同様の効果を得ることができる。
【００８１】
【発明の効果】
以上、本発明によれば、入力した駆動信号に応じた駆動電圧に基づいて光源光を光変調する光変調器に対し、調整した駆動信号を与える駆動装置において、低周波信号を発振する低周波発振手段と、電気入力信号に低周波信号を重畳する重畳手段と、光変調器からの出力光信号に含まれる低周波成分と、低周波発振手段により発振された元の低周波信号との位相差に応じたバイアス信号に、上記低周波信号を合成する合成手段と、重畳手段により重畳された重畳信号と、加算手段により合成された合成信号とに基づいて、上限の波形と下限の波形とが非対称となる駆動電圧を光変調器に与える駆動手段とを備えることから、光変調器の動作点を安定化させて、光波形の揺らぎが少なく、消光比の劣化が少ない安定した出力光信号を光変調器から出力させるよう制御することができる。
【図面の簡単な説明】
【図１】第１の実施形態に係る光変調器の構成を示す回路図である。
【図２】従来の光変調器の構成を示す回路図である。
【図３】従来の低周波重畳方式による出力光信号波形を示した図である。
【図４】第１の実施形態のＭＺ型光変調器に入力する電気信号の波形を示した図である。
【図５】第１の実施形態のＭＺ型光変調器において、動作点ドリフトが生じていない場合の駆動信号に基づく駆動電圧と、出力光信号の光強度との関係を示した図である。
【図６】第１の実施形態の動作点ドリフトが正方向に生じている場合の出力光信号波形を示した図である。
【図７】第１の実施形態の動作点ドリフトが負方向に生じている場合の出力光信号波形を示した図である。
【図８】第２の実施形態に係る光変調器の構成を示す回路図である。
【図９】第２の実施形態に係る低周波信号に関する光アンプの入出力特性の関係図である。
【符号の説明】
２…マッハツェンダー（ＭＺ）光変調器、３…電気信号（変調電気信号）、
４…低周波発振器、５…アンプ、７…バイアスティ、
１０…フォトダイオード、１１…バンドパスフィルタ（ＢＰＦ）、
１２…アンプ、１３…乗算器、１４…ローパスフィルタ（ＬＰＦ）
１５…差動増幅器、１７…加算器、１８…アンプ、１９…分圧抵抗、
２０…反転スイッチ、２１…光アンプ。
【図１】
2004118060.tif 000003
【図２】
2004118060.tif 000004
【図３】
2004118060.tif 000005
【図４】
2004118060.tif 000006
【図５】
2004118060.tif 000007
【図６】
2004118060.tif 000008
【図７】
2004118060.tif 000009
【図８】
2004118060.tif 000010
【図９】
2004118060.tif 000011